(57)【要約】【課題】生ごみ処理機において、制御装置が壊れ乾燥ヒータの制御が不能で、常に通電状態となった場合に、温度過昇防止装置をより安全に動作させること。【解決手段】生ごみ収容容器１０１内の温度を検知する乾燥センサ１１２の情報に基づいて、制御手段が、乾燥ヒータ１０３への供給電力を第１の供給電力範囲内で変更することで、生ごみ収容容器１０１内の温度を第１の温度範囲内に温度調整制御し、生ごみの加熱乾燥の進行に伴って第１の供給電力範囲内で第１の温度の温度範囲内に制御不能になると、制御手段は、第１の供給電力範囲を、第１の供給電力範囲よりも低い第２の供給電力範囲に切り換える構成とした。これにより、生ごみの加熱乾燥の進行に伴う生ごみ収納容器内の所定時間毎の温度上昇値（ΔＴ／Δｔ）を抑え、温度過昇防止装置の設定温度を低くすることができ、より安全に温度過昇防止装置を動作させる生ごみ処理機を提供できる。【選択図】図１
2006218428.tif 000002
【特許請求の範囲】
【請求項１】
生ごみを収納する収納容器と、収納容器内の生ごみを加熱乾燥する乾燥ヒータと、乾燥ヒータ近傍に設けられ前記乾燥ヒータの温度異常上昇を防止する温度過昇防止装置と、前記生ごみ収容容器内の温度を検知する乾燥センサとを備え、前記乾燥センサの情報に基づいて前記乾燥ヒータへの供給電力を第１の供給電力範囲内で変更することで前記生ごみ収容容器内の温度を第１の温度範囲内に温度調整制御する制御手段を備えた生ごみ処理機において、生ごみの加熱乾燥の進行に伴って第１の供給電力範囲内では前記第１の温度の温度範囲内に制御不能になると、制御手段は、前記第１の供給電力範囲を、前記第１の供給電力範囲よりも低い第２の供給電力範囲に切り換えることを特徴とする生ごみ処理機。
【請求項２】
第２の供給電力範囲は、生ごみの加熱乾燥の進行に伴う生ごみ収納容器内の所定時間毎の温度上昇値（ΔＴ／Δｔ）が低くなるよう設定されることを特徴とする請求項１記載の生ごみ処理機。
【請求項３】
生ごみの加熱乾燥の進行に伴う生ごみ収納容器内の所定時間毎の温度上昇値（ΔＴ／Δｔ）の値に応じて、第２の供給電力範囲を自在に設定可能であることを特徴とする請求項２記載の生ごみ処理機。
【請求項４】
外気温度を検出する外気温センサを設け、前記外気温センサの情報に基づいて、所定時間毎の温度上昇値（ΔＴ／Δｔ）を自在に設定可能であることを特徴とする請求項１記載の生ごみ処理機。
【請求項５】
外気温度を検出する外気温センサを設け、前記外気温センサの情報に基づいて、第２の供給電力範囲を自在に設定可能であることを特徴とする請求項１記載の生ごみ処理機。
【発明の詳細な説明】
【技術分野】
【０００１】
本発明は、家庭やレストランの厨房で発生する生ごみを減量処理する生ごみ処理機の制御方式に関するものである。
【背景技術】
【０００２】
従来の生ごみ処理機について、図９を用いて説明する。
【０００３】
１００は、生ごみ処理機本体で、１０１は生ごみを収納する収容容器で、１０２は、収容容器１０１を開閉自在の覆う蓋である。収容容器１０１の内部には、ごみを攪拌する攪拌手段１０４が配され、その攪拌手段１０４はモータにより減速装置を介して駆動される。収容容器１０１の上部には、収容容器１０１内の温度を検出する温度検出手段である乾燥センサ１１２、生ごみを加熱する乾燥ヒータ１０３、乾燥ヒータ１０３で加熱された空気を攪拌しながら生ごみに吹き付ける乾燥ファン１０６が設けてある。
【０００４】
１０９は、生ごみから発生する蒸気に含まれる臭気を脱臭する酸化触媒で、その出力側１０９ａは、生ごみから発生する蒸気を吸引すると共に外部に排出する排気ファン１０７に接続されている。１０８は、生ごみ処理機本体１００に設けた排出路で、排気ファン１０７によって排出された蒸気を、外部に排出するためのものである。
【０００５】
１１０は、酸化触媒１０９を加熱するための触媒ヒータで、１１１は排気通路１０２ａの一部に設けられ、排気通路１０２ａを通る蒸気の温度を直接若しくは間接的に検知する蒸気温度センサである。
【０００６】
また収納容器１内の蒸気を排出するため収納容器１内また酸化触媒１０９内の酸素欠乏を防ぐために収納容器１内に外気を吸引するための吸気通路１１５を設けてある。
【０００７】
１１３は、乾燥ヒータ１０３の制御が不能となった場合に蓋１０２および本体１００に過多の熱が加わらないように生ごみ処理機の運転を停止させる温度過昇防止装置である。
【０００８】
上記構成による、作用は以下の通りである。
【０００９】
収容容器１０１に生ごみを投入して、生ごみ処理機本体１００の運転を開始すると、乾燥ヒータ１０３が通電され、乾燥ファン１０６により温風が、生ごみに吹き付けられ、乾燥処理が開始する。同時に触媒ヒータ１１０にも通電され酸化触媒１０９が脱臭能力を発揮する温度まで加熱される。乾燥ヒータ１０３、乾燥ファン１０６による生ごみの加熱温度は、常に乾燥センサ１１２で検知され、一定の温度になるように、制御回路によって制御される。
【００１０】
さらに、加熱乾燥処理中、排気ファン１０７が回転する事により、収容容器１０１内に負圧が作用し、吸気通路から外気を取りいれ、生ごみから発生する蒸気とともに、酸化触媒１０９に送られ、そこで蒸気に含まれる臭気が脱臭され、次に排気ファン１０７より放出され、最終的に排出路１０８より生ごみ処理機本体１００の外に排出される。排気ファン１０７は吸引モータ（図示せず）により回転する。
【００１１】
生ごみの乾燥が進み、発生する蒸気の量が減ってくると、排気通路１０２ａを通る蒸気が減るため、蒸気温度センサ１１１で検知される温度が低下してくる。その温度が所定の温度以下になったら、乾燥が終了したものとして、乾燥ヒータ１０３への通電を停止し、冷却工程に移る。また、乾燥ヒータ１０３と乾燥センサ１１２により収容容器１０１内の生ごみの加熱温度を一定に制御しているが、生ごみが乾燥していない運転初期は水分が多く含まれるため、ある一定の温度幅で維持される。乾燥ヒータ１０３の通電のＯＮ／ＯＦＦにより温度制御をおこなうが通電ＯＦＦ時に完全に通電をＯＦＦするのではなくある一定量の最小熱量を加える、つまり常にするのではなくある一定量の最小熱量を加えることにより、生ごみの水分がなくなり生ごみの乾燥が進むと収容容器１０１内の温度が上昇し、一定の温度幅に制御することができなくなる。その現象を利用し、乾燥センサ１１２の出力値が所定値以上を所定時間継続すると、生ごみの水分がなくなり乾燥が終了したものとして、乾燥ヒータ１０３への通電を停止し、冷却工程に移るようにも制御している。冷却工程では、排気ファン１０７を所定時間あるいは、収容容器１０１内の温度が所定の温度以下になるまで回転させるようにし、最終的に本体の運転を停止する（例えば、特許文献１参照）。
【特許文献１】特開平９−２８９４０６号公報
【発明の開示】
【発明が解決しようとする課題】
【００１２】
しかしながら前記従来の生ごみ処理機においては、乾燥ヒータのばらつきや、入力電圧のばらつき、または外気温の影響により、収容容器内の温度挙動が変化し、確実に生ごみの乾燥を検知し、かつ制御装置が壊れ乾燥ヒータの制御が完全に不能（常に通電状態）になった場合に温度過昇防止装置がより安全に動作するように設定することが難しい。特に、乾燥ヒータの制御が完全に不能（常に通電状態）になった場合に、電圧と外気温のバラツキにより、例えば電圧が低い場合には温度過昇防止装置が動作するまでの時間が長くなり収納容器内の温度が高い状態で維持される時間が長くなることになり収納容器内の生ごみが炭化しやすい状態になり温度過昇防止装置は安全に動作するものの焦げ臭やそれに伴う煙が発生する場合がある。それを避けるために温度過昇防止装置の設定温度を低くする必要がある。しかし、温度過昇防止装置の設定温度を低くしたとき、電圧が高い場合、生ごみの加熱乾燥の進行に伴う生ごみ収納容器内の所定時間毎の温度上昇値（ΔＴ／Δｔ）が低電圧の場合に比べ高くなり、温度過昇防止装置の誤動作を招く可能性がある。つまり、通常運転時には乾燥センサの出力値が所定値を所定時間継続すると乾燥終了と判断するため、所定時間内に温度過昇防止装置の動作温度を超えてしまい誤動作するまたは生ごみが未乾燥の状態で運転終了するということが起こり得る。また、外気温度が低い場合も蓋内に設けられた温度過昇防止装置と生ごみ収容容器内の温度差が大きく、つまり追従性が悪く、温度過昇防止装置が動作するまでの時間が長くなり収納容器内の温度が高い状態で維持される時間が長くなることになり同様の現象が起こるといったような問題があった。
【００１３】
本発明は上記課題を解決するもので、制御装置が壊れ乾燥ヒータの制御が完全に不能（常に通電状態）になった場合に温度過昇防止装置がより安全に動作させることのできる生ごみ処理機を提供することを目的とするものである。
【課題を解決するための手段】
【００１４】
上記従来の課題を解決するために、本発明の生ごみ処理機は、生ごみを収納する収納容器と、収納容器内の生ごみを加熱乾燥する乾燥ヒータと、乾燥ヒータ近傍に設けられ前記乾燥ヒータの温度異常上昇を防止する温度過昇防止装置と、前記生ごみ収容容器内の温度を検知する乾燥センサとを備え、前記乾燥センサの情報に基づいて前記乾燥ヒータへの供給電力を第１の供給電力範囲内で変更することで前記生ごみ収容容器内の温度を第１の温度範囲内に温度調整制御する制御手段を備えた生ごみ処理機において、生ごみの加熱乾燥の進行に伴って第１の供給電力範囲内では前記第１の温度の温度範囲内に制御不能になると、制御手段は、前記第１の供給電力範囲を、前記第１の供給電力範囲よりも低い第２の供給電力範囲に切り換えることを特徴とするものであり、生ごみの加熱乾燥の進行に伴って第１の供給電力範囲内で記第１の温度の温度範囲内に制御不能つまり、乾燥センサの出力値が所定値を超えると、第１の供給電力範囲よりも低い第２の供給電力範囲に切り換えることで、生ごみの加熱乾燥の進行に伴う生ごみ収納容器内の所定時間毎の温度上昇値（ΔＴ／Δｔ）を抑え、温度過昇防止装置の設定温度を低くすることができ、制御装置が壊れ乾燥ヒータの制御が完全に不能（常に通電状態）になった場合に、収納容器内の生ごみが炭化し、焦げ臭やそれに伴う煙が発生することなくより安全に温度過昇防止装置を動作させることができる。
【発明の効果】
【００１５】
本発明の生ごみ処理機は、生ごみの加熱乾燥の進行に伴う生ごみ収納容器内の所定時間毎の温度上昇値（ΔＴ／Δｔ）を抑え、温度過昇防止装置の設定温度を低くすることができ、制御装置が壊れ乾燥ヒータの制御が完全に不能（常に通電状態）になった場合に、収納容器内の生ごみが炭化し、焦げ臭やそれに伴う煙が発生することなくより安全に温度過昇防止装置を動作させる生ごみ処理機を提供することができる。
【発明を実施するための最良の形態】
【００１６】
第１の発明は、生ごみを収納する収納容器と、収納容器内の生ごみを加熱乾燥する乾燥ヒータと、乾燥ヒータ近傍に設けられ前記乾燥ヒータの温度異常上昇を防止する温度過昇防止装置と、前記生ごみ収容容器内の温度を検知する乾燥センサとを備え、前記乾燥センサの情報に基づいて前記乾燥ヒータへの供給電力を第１の供給電力範囲内で変更することで前記生ごみ収容容器内の温度を第１の温度範囲内に温度調整制御する制御手段を備えた生ごみ処理機において、生ごみの加熱乾燥の進行に伴って第１の供給電力範囲内では前記第１の温度の温度範囲内に制御不能になると、制御手段は、前記第１の供給電力範囲を、前記第１の供給電力範囲よりも低い第２の供給電力範囲に切り換えることを特徴とする生ごみ処理機とした。これにより、生ごみの加熱乾燥の進行に伴って第１の供給電力範囲内で記第１の温度の温度範囲内に制御不能つまり、乾燥センサの出力値が所定値を超えると、第１の供給電力範囲よりも低い第２の供給電力範囲に切り換えることで、生ごみの加熱乾燥の進行に伴う生ごみ収納容器内の所定時間毎の温度上昇値（ΔＴ／Δｔ）を抑え、温度過昇防止装置の設定温度を低くすることができ、制御装置が壊れ乾燥ヒータの制御が完全に不能（常に通電状態）になった場合に、収納容器内の生ごみが炭化し、焦げ臭やそれに伴う煙が発生することなくより安全に温度過昇防止装置を動作させる生ごみ処理機を提供することができる。
【００１７】
第２の発明は、第１の発明における第２の供給電力範囲は、生ごみの加熱乾燥の進行に伴う生ごみ収納容器内の所定時間毎の温度上昇値（ΔＴ／Δｔ）が低くなるよう設定されることを特徴とする生ごみ処理機とした。つまり第１の供給電力範囲より第２の供給電力範囲の方が、生ごみの加熱乾燥の進行に伴う生ごみ収納容器内の所定時間毎の温度上昇値（ΔＴ／Δｔ）が低くなるようにしたものである。乾燥センサの出力値が所定値を所定時間継続すると乾燥終了と判断するため、第２の供給電力範囲の生ごみ収納容器内の所定時間毎の温度上昇値（ΔＴ／Δｔ）が高いと、所定時間内に温度過昇防止装置の動作温度を超えてしまい誤動作するまたは生ごみが未乾燥の状態で運転終了するということが起こり得る。よって第１の供給電力範囲より第２の供給電力範囲は、生ごみの加熱乾燥の進行に伴う生ごみ収納容器内の所定時間毎の温度上昇値（ΔＴ／Δｔ）が低くなるようにすることで温度過昇防止装置の誤動作または生ごみが未乾燥の状態で運転終了することを防止することのできる生ごみ処理機を提供することができる。
【００１８】
第３の発明は、第２の発明に加えて、生ごみの加熱乾燥の進行に伴う生ごみ収納容器内の所定時間毎の温度上昇値（ΔＴ／Δｔ）の値に応じて、第２の供給電力範囲を自在に設定可能であることを特徴とする生ごみ処理機とした。生ごみの加熱乾燥の進行に伴う所定時間毎の温度上昇値（ΔＴ／Δｔ）が大きいということは、乾燥ヒータへの供給電力が一定であれば、生ごみの加熱乾燥の進行が進んでおり、ほぼ乾燥しているということを意味しており第２の供給電力範囲は短くてよい。一方、生ごみの加熱乾燥の進行に伴う所定時間毎の温度上昇値（ΔＴ／Δｔ）が小さいということは生ごみの加熱乾燥の進行が少ないことを意味しており確実に乾燥させるためには第２の供給電力範囲を長くする必要がある。よって例えば、生ごみの加熱乾燥の進行に伴う所定時間毎の温度上昇値（ΔＴ／Δｔ）の値が大きい場合は第２の供給電力範囲は短くし、所定時間毎の温度上昇値（ΔＴ／Δｔ）の値が小さい場合は第２の供給電力範囲を長くする等、生ごみの加熱乾燥の進行に伴う所定時間毎の温度上昇値（ΔＴ／Δｔ）の値に応じて第２の供給電力範囲を自在に設定可能にすることにより、効率的に生ごみを乾燥させることのできる生ごみ処理機を提供することができる。
【００１９】
第４の発明は、第１の発明に加えて、外気温度を検出する外気温センサを設け、前記外気温センサの情報に基づいて、所定時間毎の温度上昇値（ΔＴ／Δｔ）を自在に設定可能であることを特徴とする生ごみ処理機とした。外気温度が低い場合は蓋内に設けられた温度過昇防止装置と生ごみ収容容器内の温度差が大きく、つまり追従性が悪く、温度過昇防止装置が動作するまでの時間が長くなり収納容器内の温度が高い状態で維持される時間が長くなることになり、それを避けるために通常、温度過昇防止装置の動作設定温度を低く設定する。この状態で外気温度が高くなると、生ごみの加熱乾燥の進行に伴う生ごみ収納容器内の所定時間毎の温度上昇値（ΔＴ／Δｔ）が低い外気温度の場合に比べて高くなり、温度過昇防止装置の誤動作を招く可能性がある。よって外気温センサの情報に基づく外気温度が高い場合には、第２の供給電力範囲において、生ごみの加熱乾燥の進行に伴う生ごみ収納容器内の所定時間毎の温度上昇値（ΔＴ／Δｔ）が低くなるようにすることで温度過昇防止装置の誤動作または生ごみが未乾燥の状態で運転終了するということを防ぐことができる生ごみ処理機を提供することができる。
【００２０】
第５の発明は、第１の発明に加えて、外気温度を検出する外気温センサを設け、前記外気温センサの情報に基づいて、第２の供給電力範囲を自在に設定可能であることを特徴とする生ごみ処理機としたものである。外気温度が低い場合には、生ごみ収用容器内に外気を吸引しているため、生ごみが乾燥していても生ごみの加熱乾燥の進行に伴う生ごみ収納容器内の所定時間毎の温度上昇値（ΔＴ／Δｔ）が低くなる。そのため、第２の供給電力範囲を短くしても生ごみは十分乾燥している。逆に外気温度が高い場合には生ごみが乾燥していなくても生ごみの加熱乾燥の進行に伴う生ごみ収納容器内の所定時間毎の温度上昇値（ΔＴ／Δｔ）が高くなる。そのため確実に生ごみを乾燥させるためには、温度過昇防止装置が動作しない範囲で第２の供給電力範囲を長くすることが必要である。このように外気温センサの情報に基づき第２の供給電力範囲を自在に設定することにより、効率的に生ごみを乾燥させることのできる生ごみ処理機を提供することができる。
【００２１】
（実施の形態１）
以下、本発明の第１の実施の形態を、図１〜図４を用いて説明する。なお、本実施の形態の基本構成は、従来例と同一であるので、従来例と同一部分については、同一名称、符号を用いてその説明を省略する。
【００２２】
図１は本発明の実施の形態１を示す生ごみ処理機の側断面図である。機器全体の小型コンパクト化から蒸気温度センサ１１１の取付け位置は、排気通路１０２ａの中で、酸化触媒１０９の熱的影響のない蓋１０２側にとりつけるのが望ましい。
【００２３】
また、機器は電源電圧を検知する機能を備えており、外気温度を検知する外気温度センサ１２０を備え、モータ１０５、乾燥ヒータ１０３、乾燥ファン１０６、触媒ヒータ１１０、蒸気温度センサ１１１はそれぞれ制御される。乾燥ヒータ１０３の通電率は検知された電源電圧値と外気温度センサ１３の出力に連動するようにしている。
【００２４】
次に上記のように構成された生ごみ処理機の動作について説明する。まず生ごみを蓋１０２を開けて収容容器１０１へ投入し蓋１０２を閉める。そして運転を開始すると加熱手段である乾燥ヒータ１０３、モータ１０５、触媒ヒータ１１０に通電する。また乾燥ファン１０６が回転し温風で収容容器１０１内の生ごみを乾燥させる。
【００２５】
図２は、生ごみの加熱乾燥の進行に伴って第１の供給電力範囲内では前記第１の温度の温度範囲内に制御不能になると制御手段は前記第１の供給電力範囲よりも低い第２の供給電力範囲に切り換わる特徴を備えた生ごみ処理機のタイムチャートである。
【００２６】
生ごみの乾燥が進み、発生する蒸気の量が減ってくると、乾燥ヒータに１０３より収容容器１０１内に常にある一定量の熱量が加わっているため、生ごみ乾燥時に収容容器１０１内の温度が上昇する。つまり生ごみの加熱乾燥の進行に伴う生ごみ収納容器内の所定時間毎の温度上昇値（ΔＴ／Δｔ）に伴って乾燥センサ１１２が温度上昇を検知し、ある所定値Ａ以上をある所定時間Ｂ継続すると乾燥が終了したものとして、乾燥ヒータ１０３への通電を停止し、冷却工程に移るように制御している。また温度過昇防止装置の動作設定温度Ｃは、図３のように電圧のバラツキを考慮して、乾燥ヒータの制御が完全に不能（常に通電状態）になった場合に、収納容器内の生ごみが炭化せず焦げ臭やそれに伴う煙が発生しないような領域の温度に設定する。
【００２７】
本発明では、電圧が高い場合でも生ごみが乾燥したと判断する所定時間Ｂ内で図３に示される温度過昇防止装置の動作設定温度Ｃを超えないよう、図２に示されるように第１の供給電力範囲よりも低い第２の供給電力範囲に切り換えるように制御している。つまり第１の供給電力範囲よりも低い第２の供給電力範囲に切り換えることで生ごみの加熱乾燥の進行に伴う生ごみ収納容器内の所定時間毎の温度上昇値（ΔＴ／Δｔ）を低く抑えるようにしている。
【００２８】
また、図４に示されるように第１の所定時間毎の温度上昇値（ΔＴ／Δｔ）の値により第２の供給電力範囲の時間を可変させるつまり、温度上昇値（ΔＴ／Δｔ）が大きいということは、生ごみの加熱乾燥の進行が進んでおり、ほぼ乾燥しているとういこと、一方、生ごみの加熱乾燥の進行に伴う所定時間毎の温度上昇値（ΔＴ／Δｔ）が小さいということは生ごみの加熱乾燥の進行が少ないということであり、前者では第２の供給電力範囲Ｄを短くし、後者では第２の供給電力範囲Ｄを長くし、自在に設定可能にすることにより、効率的に生ごみを乾燥させている。
【００２９】
（実施の形態２）
次に、本発明の第２の実施の形態を図５〜図７を用いて説明する。なお、上記実施の形態１と同一部分については、同一名称、符号を用いてその説明を省略する。
【００３０】
図５に示されるように、外気温度が低い場合も蓋内に設けられた温度過昇防止装置と生ごみ収容容器内の温度差が大きく、つまり追従性が悪く、乾燥ヒータの制御が完全に不能（常に通電状態）になった場合に、温度過昇防止装置が動作するまでの時間が長くなり収納容器内の温度が高い状態で維持される時間が長くなることになり、収納容器内の生ごみが炭化しない領域に温度過昇防止装置の動作設定温度Ｅを設定する。
【００３１】
図６のように同じ生ごみを投入した場合、生ごみの加熱乾燥の進行に伴う生ごみ収納容器内の所定時間毎の温度上昇値（ΔＴ／Δｔ）は高外気温度時では大きくなり、低外気温度時では小さくなる。そのため、高外気温時には、生ごみが乾燥したと判断する所定時間Ｂ内で温度過昇防止装置の動作設定温度Ｅを超えてしまう。よって外気温センサの情報に基づき外気温度が高いと判断した場合には、第２の供給電力範囲において、生ごみの加熱乾燥の進行に伴う生ごみ収納容器内の所定時間毎の温度上昇値（ΔＴ／Δｔ）が低くなるようにすることで温度過昇防止装置の誤動作を防ぐように制御している。
【００３２】
次に外気温度情報に基づき、効率的に生ごみを乾燥させる方法について図７に示すタイムチャートを用いて説明する。生ごみ収用容器内に外気を吸引しているため、外気温度が低い場合、生ごみが乾燥していても生ごみの加熱乾燥の進行に伴う生ごみ収納容器内の所定時間毎の温度上昇値（ΔＴ／Δｔ）が低くなる。そのため、所定値Ａに達するまでに生ごみは十分乾燥している。よって第２の供給電力範囲Ｆは短くするようにし、余分な乾燥時間をかけないようにしている。逆に外気温度が高い場合には生ごみが乾燥していなくても生ごみの加熱乾燥の進行に伴う生ごみ収納容器内の所定時間毎の温度上昇値（ΔＴ／Δｔ）が高くなる。そのため、所定値Ａに達するまでに生ごみは十分に乾燥していない。よって確実に生ごみを乾燥させるために、温度過昇防止装置が動作しない範囲で第２の供給電力範囲Ｆを長くしている。
【００３３】
（実施の形態３）
次に、本発明の第３の実施の形態を図８を用いて説明する。なお、上記実施の形態１、２と同一部分については、同一名称、符号を用いてその説明を省略する。図８は、本発明の実施の形態３を示す生ごみ処理機の蓋部の断面図である。温度過昇防止装置１１４は温度分布が最も高い位置に配設し、乾燥ヒータ１０３の発熱の温度過昇防止装置１１４を覆うように部材１２１を設け、空気の断熱層１２２を設けている。これにより外気温度の影響を受け難くしている。また温度過昇防止装置１１４の表面には断熱材１２３を設けさらに外気温度の影響を受け難くしている。これにより、より精度の高い温度過昇防止装置の追従性のばらつきを吸収できる。
【産業上の利用可能性】
【００３４】
以上のように、本発明にかかる生ごみ処理機によれば、乾燥ヒータが制御不能の異常状態であってもより安全な状態で温度過昇防止装置を動作させることができ、確実に乾燥処理できるため、家庭やレストランの厨房から排出される生ごみの処理に極めて有用である。
【図面の簡単な説明】
【００３５】
【図１】本発明の実施の形態１を示す生ごみ処理機の断面図
【図２】同生ごみ処理機の動作を示すタイムチャート
【図３】同生ごみ処理機の温度過昇防止装置の設定温度を示すタイムチャート
【図４】同生ごみ処理機の第２の供給電力範囲の時間を可変させた動作を示すタイムチャート
【図５】本発明の実施の形態２を示す生ごみ処理機の温度過昇防止装置の設定温度を示すタイムチャート
【図６】同生ごみ処理機の動作を示すタイムチャート
【図７】同生ごみ処理機の第２の供給電力範囲の時間を可変させた動作を示すタイムチャート
【図８】本発明の実施の形態３を示す生ごみ処理機蓋部の断面図
【図９】従来の生ごみ処理機の断面図
【符号の説明】
【００３６】
１３    外気温度センサ
１０１  収容容器
１０２  蓋
１０３  乾燥ヒータ（加熱手段）
１０４  攪拌手段
１０６  乾燥ファン
１０７  排気ファン
１０８  排出路
１１１  蒸気温度センサ
１１２  乾燥センサ
１１４  温度過昇防止装置
【図１】
2006218428.tif 000003
【図２】
2006218428.tif 000004
【図３】
2006218428.tif 000005
【図４】
2006218428.tif 000006
【図５】
2006218428.tif 000007
【図６】
2006218428.tif 000008
【図７】
2006218428.tif 000009
【図８】
2006218428.tif 000010
【図９】
2006218428.tif 000011